(57)【要約】      （修正有）【課題】他の清掃補助器具を使用することなく、刷毛の先端が歯のくぼみに行き届き、歯間にくい込む歯垢除去効果の高い植毛部を有する歯ブラシを提供する。【解決手段】手用歯ブラシにおいて、植毛部２が外囲線５になるように刷毛４をカットする。長手方向の外囲線は、最高地点Ｘを先端より長手方向植毛部長さの３分２の位置とし、先端６は低く、後端７は先端よりやや高めにし、結ぶ線はなだらかな非対称の弧をなす。横方向の外囲線は、最高地点Ｘを幅の中央とし、両脇腹に向かって左右対称の丸みのある曲線である。この形状は、刷毛が弾力性を増すと同時に歯ブラシの進入角度・稼働空間を考慮した刷掃面を確保する。刷毛の弾力性によって植毛部が歯の形状に適応して接し、もしくはくい込む力を有し、歯垢除去効果を高める。【選択図】図１
0003217413.tif 000002
【実用新案登録請求の範囲】
【請求項１】
植毛部長手方向に刷毛束を複数本配列した手用歯ブラシにおいて、植毛部長手方向は  図１  のように、最高地点Ｘを先端より長手方向植毛部長さの３分の２の位置とし、先端６は低く、後端７は先端よりやや高めにし、結ぶ線はなだらかな非対称の弧をなす外囲線Ｙ１−Ｙ２を有する歯ブラシ。
【請求項２】
植毛部横方向は  図２  のように、最高地点Ｘを幅の中央として、両脇腹に向かって左右対称の丸みのある曲線をなす外囲線Ｚ１−Ｚ２を有し、請求項１記載の歯ブラシ。
【請求項３】
植毛部の最高地点Ｘは、先端より植毛部長手方向の長さの０．６〜０．７５倍に位置し、請求項１請求項２記載、または請求項１記載のいずれかの歯ブラシ。
【請求項４】
刷毛の長さは、最高地点Ｘが８〜１２ｍｍで、先端６は最高地点Ｘの高さの０．４〜０．６倍、後端７は先端長さの１．４〜１．６倍であって、請求項１請求項２請求項３記載、又は請求項１請求項３記載のいずれかの歯ブラシ。
【考案の詳細な説明】
【技術分野】
【０００１】  本考案は、歯ブラシの植毛部の形状に関するものである。
【背景技術】
【０００２】植毛部長手側方向に刷毛束を複数本配列した手用歯ブラシは、使用時の荷重によって刷毛が倒れやすく、歯のくぼみや歯間の歯垢除去力に欠けている。その他の清掃補助器具を併用している。
【先行技術文献】
【特許文献】
【０００３】
【特許文献１】特開２００６−３０５２８９公報
【考案の概要】
【考案が解決しようとする課題】
【０００４】一般的に普及している手用歯ブラシは、使用時に刷毛が倒れたり分かれたりして、くぼみや歯間の歯垢除去力に欠ける。本考案は、その他の清掃補助器具を使用することなく、くぼみや歯間も含めた歯の様々な形状に適応できる歯垢除去効果の高い植毛部を有する歯ブラシで問題を解決しようとしている。
【課題を解決するための手段】
【０００５】本考案は、歯科医検診の際に磨き残しを毎回指摘されたことから始まる。その他の補助清掃器具は、手間と時間において習慣づけることが難しかった。複雑な形状に付着する歯垢と歯ブラシの関係において、刷毛の持つ特性に着目した。【０００６】刷毛には撓う性質がある。弾力があって、折れずに柔らかに曲がる性質のことで、以下引用する。長い刷毛は撓う性質を持って上辺を広域的に掃うのに適し、短い刷毛は弾力性を持ってくぼみや溝などの狭い場所に適応する。効果的な歯磨きを可能にするには、撓う幅を狭くし弾力性のある短めの刷毛が適すると考えた。一般的な歯ブラシの刷毛の長さが１０〜１２ｍｍであるのに対して、本考案例では、最高地点Ｘが９ｍｍ、先端６が４ｍｍ、後端７が６ｍｍである。【０００７】歯の形状と歯ブラシの進入角度・稼働空間を考慮した上で、出来るだけ広い刷掃面を確保した植毛部の形状が  図１  図２  である。この形状は、外郭へ向かって短くなっているが、刷毛の長い最高地点Ｘ周辺の刷毛を補強する役割も果たす。【０００８】植毛部長手方向に刷毛束複数本配列した手用歯ブラシにおいて、植毛部が  図１  図２  の外囲線になるように刷毛をカットする。長手方向の外囲線  図１  は、最高地点Ｘを先端より長手方向植毛部長さの３分２の位置とし、先端６は低くＸ地点刷毛長の約２分の１とし、後端７は先端６よりやや高め先端刷毛長の１．５倍とし、結ぶ線Ｙ１―Ｙ２はなだらかな非対称の弧をなす。横方向の外囲線  図２  は、最高地点Ｘを幅の中央とし、両脇腹８に向かう線Ｚ１―Ｚ２は左右対称の丸みのある曲線である。【０００９】歯ブラシの選択において、刷毛質は普通か柔らかめが適する。硬い場合、弾力性はあるが、その長さのために細部に行き渡りにくく、歯茎・口内皮膚を損傷する可能性があると考える。持ち手において、平たいものか軽い湾曲程度の物が適する。
【考案の効果】
【００１０】本考案による歯ブラシは、刷毛が持つ弾力性によって歯の形状に適応して接する。もしくはくい込むことを可能にする。刷掃面と荷重を変えながら細かく歯ブラシを動かすことによって、歯全体の歯垢除去効果を高める。
【図面の簡単な説明】
【００１１】
【図１】本考案例の側面図
【図２】本考案例のＡ―Ａ矢視断面図
【図３】本考案例の平面図
【図４】本考案による適する刷掃面
【考案を実施するための形態】
【００１２】一般的に普及している歯ブラシの中で、植毛部の刷毛の長さが均一で植毛束が３〜５列配列された歯ブラシを手作業で本考案の形状にカットし実施する。
【実施例】
【００１３】  図１  図２  の形状で、刷毛の長さは最高地点Ｘが９ｍｍの時、先端４ｍｍ・後端６ｍｍとし、最高地点Ｘが１０ｍｍの時、先端５ｍｍ・後端７．５ｍｍとして刷毛をカットする。【００１４】習慣上必要な所要時間の短い歯磨きは別にして、本考案の歯ブラシを用いて１日１回８〜１０分の歯磨きを実行する。その他の清掃補助器具は使用しない。実行期間は平成２８年１２月より１年３か月、その間に半年毎の歯科医検診を受信した。歯科医においてクリーニングされる個所は限定的となり所要時間が大幅に短縮された。担当医の所見において効果を確認する。【００１５】主となる刷掃エリアを  図４  で紹介する。同一の符号を結んだ線が各エリアである。ａｂ面では、第一小臼歯から反対側第一小臼歯まで両面を磨く。ａ面では、第一小臼歯より先の奥歯かみ合わせ部と両側面を磨く。溝や歯間には押し当てるようにして磨く。ｃ面では側面の丸みを歯茎との境目に当てて磨く。歯間は脇腹をくい込ませて磨く。ｄ面では、最前歯の中切歯裏と最奥歯の第二大臼歯又は第三大臼歯の周辺を，先端を立てるように磨く。
【産業上の利用可能性】
【００１６】子供から大人まで、歯の健康管理に使用できる。生活必需品においてその機能が集約されていることは必要条件の一つと考える。
【符号説明】
【００１７】１  ヘッド
２  植毛部
３  刷毛束
４  刷毛
５  外囲線
６  先端
７  後端
８  脇腹
【図１】
0003217413.tif 000003
【図２】
0003217413.tif 000004
【図３】
0003217413.tif 000005
【図４】
0003217413.tif 000006
【手続補正書】
【提出日】平成30年5月23日(2018.5.23)
【手続補正１】
【補正対象書類名】実用新案登録請求の範囲
【補正対象項目名】全文
【補正方法】変更
【補正の内容】
【実用新案登録請求の範囲】
【請求項１】
植毛部長手方向に刷毛束を複数本配列した手用歯ブラシにおいて、植毛部の先端中心と後端中心を繋ぐ長手方向の刷毛先ラインが、最高地点を先端より長手方向植毛部の長さの０．６〜０．７５倍の位置とし、先端は最高地点刷毛長の０．４〜０．６倍、後端は先端より高い先端刷毛長の１．４〜１．６倍とした非対称の弧状になるように形成した歯ブラシ。
【請求項２】
植毛部の両脇腹を横方向に繋ぐ刷毛先ラインは、最高地点を中心として、両脇腹に向かって低くし左右対称の弧状になるように形成した、請求項１記載の歯ブラシ。
【請求項３】
植毛部の最高地点は、先端より長手方向植毛部の長さの３分の２の位置とする、請求項１または２記載の歯ブラシ。
【請求項４】
刷毛の長さは、最高地点が８〜１２ｍｍで、先端は最高地点の高さの２分の１、後端は先端の１．５倍である、請求項１〜３のいずれか一項に記載の歯ブラシ。